(57)【要約】【課題】画像の劣化を起こすことなく映像の輪郭部分等に含まれる特定周波数成分を強調し映像の精細感を増大させる 。 【解決手段】可変帯域抽出フィルタ３の出力信号の高周波成分を抑圧する可変低域通過フィルタ１０１と、可変帯域抽出フィルタ３の抽出周波数帯域と可変低域通過フィルタ１０１の遮断周波数とを設定する抽出帯域遮断周波数設定部１０２とを備え、可変帯域抽出フィルタ３の抽出帯域と可変低域通過フィルタ１０１の遮断周波数とを連動させることにより、可変帯域抽出フィルタ３の出力信号に含まれる所望の帯域以外の不要な高調波成分を可変低域通過フィルタ１０１により適切に抑圧する。 【選択図】図１
2007049216.tif 000002
【特許請求の範囲】
【請求項１】
入力映像信号から特定の周波数帯域の信号を抽出するフィルタと、
前記フィルタの出力信号に可変の係数を乗じる乗算器と、
前記フィルタの出力信号から高周波成分を抑圧する高域抑圧手段と、
前記フィルタの抽出帯域中心周波数に比例して前記高域抑圧手段の遮断周波数が連動するように前記フィルタ及び前記高域抑圧手段を設定する制御手段と、
を備える輪郭強調処理装置。
【請求項２】
入力映像信号を可変に遅延させる可変遅延回路と
前記可変遅延回路の出力信号を加算する加算器と、
前記加算器が出力した高周波成分を抑圧する高域抑圧手段と、
前記高域抑圧手段の遮断周波数を設定する制御手段と、
を備える輪郭強調処理装置。
【請求項３】
請求項１又は２記載の輪郭強調処理装置であって、前記高域抑圧手段は、
入力映像信号を入力し前記入力映像信号から特定の帯域成分を抑圧する第一の帯域抑圧手段と、
前記第一の帯域抑圧手段の出力信号の高域成分を抑圧する第二の帯域抑圧手段と、
前記第一の帯域抑圧手段の出力信号と前記第二の帯域抑圧手段の出力信号を切替えて出力するマルチプレクサとを含む輪郭強調処理装置。
【請求項４】
請求項３記載の輪郭強調処理装置であって、前記第一の帯域抑圧手段は、
前記入力映像信号を遅延させる第一の信号遅延手段と、
前記第一の信号遅延手段の出力信号をさらに遅延させる第二の信号遅延手段と、
前記入力映像信号と前記第一の信号遅延手段の出力信号と前記第二の信号遅延手段の出力信号を合成する第一の信号合成手段とを含む輪郭強調処理装置。
【請求項５】
請求項３記載の輪郭強調処理装置であって、前記第二の帯域抑圧手段は、
前記第一の帯域抑圧手段の出力信号を1クロック分遅延する第三の信号遅延手段と、
前記第三の信号遅延手段の出力をさらに1クロック分遅延する第四の信号遅延手段と、
前記第一の帯域抑圧手段の出力信号と前記第三の信号遅延手段の出力信号と前記第四の信号遅延手段の出力信号を合成する第二の信号合成手段とを含む輪郭強調処理装置。
【請求項６】
入力映像信号の輪郭部分等に含まれる特定周波数成分を強調することによって映像の精細感を増大させる輪郭強調処理方法であって、
前記入力映像信号の抽出周波数帯域を設定するステップと、
乗算器の係数を設定するステップと、
高域の遮断周波数を設定するステップと、
高域の第一帯域抑圧信号と第二帯域抑圧信号を切替えて出力するステップと、
を備える輪郭強調処理方法。
【発明の詳細な説明】
【技術分野】
【０００１】
本発明は、ビデオカメラ等の映像信号撮像装置で撮影した映像信号、テレビ受像器で受信した映像信号、等の映像の輪郭強調処理に係り、特に映像の輪郭部分等に含まれる特定周波数成分を強調することによって映像の精細感を増大させる輪郭強調処理装置及び輪郭強調処理方法に関する。 
【背景技術】
【０００２】
従来、ビデオカメラ等では、撮影した映像に対して精細感を高めるため、輪郭強調処理を行う。このとき適切な強調周波数は被写体や目的によって異なるため、強調周波数を変化させることができるようにすることが必要であるが、従来の輪郭強調処理装置では、遅延量が可変の遅延素子を2つ使用して、
−（１−２ｚ−ｎ＋ｚ−２ｎ）／４ 
の伝達関数で表される帯域通過型フィルタ（Band Pass Filter）を構成し、可変遅延素子の遅延量を変えることによって、この式のnを変化させ、通過帯域を可変としているものが多く用いられている（例えば、特許文献１参照）。 
【特許文献１】特開平４−１６０８７６号公報
【０００３】
図８は、従来の輪郭強調処理装置の構成を説明するブロック図を示す。この従来の輪郭強調処理装置は、可変遅延回路２、可変帯域抽出フィルタ３、抽出帯域設定部４、乗算器５、加算器６とから構成される。可変遅延回路２は、入力映像信号１を可変に遅延させる。可変帯域抽出フィルタ３は、入力映像信号１から特定の周波数帯域の信号を可変に抽出する。抽出帯域設定部４は、可変帯域抽出フィルタ３の抽出帯域を設定する。乗算器５は、可変帯域抽出フィルタ３の出力信号に可変の係数５ａを乗じる。加算器６は、可変遅延回路２の出力信号と乗算器５の出力信号とを加算する。
【０００４】
図９は、従来の輪郭強調処理装置の可変帯域抽出フィルタの構成を示すブロック図である。この従来の輪郭強調処理装置の可変帯域抽出フィルタ３は、入力映像信号１０を遅延させる遅延量可変の可変遅延回路１１と、可変遅延回路１１の出力をさらに遅延する遅延量可変の可変遅延回路１２と、可変遅延回路１１、１２の遅延量を設定する抽出帯域設定信号１３と、入力映像信号１０と可変遅延回路１２の出力信号とを加算する加算器１４と、加算器１４の出力を１／２倍する演算器１５と、可変遅延回路１１の出力から演算器１５の出力を減算する減算器１６と、減算器１６の出力を１／２倍する演算器１７とから構成される。
【０００５】
図１０は、従来の輪郭強調処理装置の可変遅延回路２、１１、１２の構成を示すブロック図である。１クロック分の単位遅延回路２１、２２、２３、・・・、２４を直列に接続し、それぞれの出力信号をマルチプレクサＭＵＸ２５で選択して出力する。このような構成により、帯域抽出フィルタ３の伝達関数は、可変遅延回路１１、１２の遅延量をｍとして、
−（１−２ｚ−ｍ＋ｚ−２ｍ)／４ 
で表される。 
【０００６】
図１１は、従来の輪郭強調処理装置の帯域抽出フィルタ３の可変遅延回路１１、１２の遅延量ｍを１、２、３、４と変化させたときの周波数レスポンス特性を示す。同図に示すように、可変帯域抽出フィルタ３は、可変遅延回路１１、１２の遅延量である抽出帯域設定信号１３の値ｍを変化させることによって、横軸のサンプリング周波数ｆｓに対して、通過帯域の周波数レスポンスが変化し、強調する周波数帯域を変化させることができる。
【０００７】
しかしながら、上記従来の輪郭強調処理装置にあっては、図９の可変遅延回路１１、１２の遅延量を大きくして強調周波数を低くしていくと、図１１に示すように、強調したい帯域の他にその奇数倍の高調波成分も同時に強調されてしまうという問題がある。現行のＳＤ(Standard Definition)フォーマットの映像信号では、映像信号の周波数帯域が６ＭＨｚ程度までと狭く、強調周波数をそれほど低くする必要がなかったため特に問題なかったが、ＨＤ(High Definition)フォーマット等のより高解像度の映像においては、帯域が３０ＭＨｚ程度までと従来のＳＤフォーマット映像よりも非常に広く、強調したい周波数帯域が応用分野によって大きく異なり、その範囲が非常に広くなる。ＳＤフォーマット並の低い解像度帯域を強調しようとした場合には、奇数倍の高調波成分も同時に強調されてしまい、映像を劣化させてしまうという問題があった。 
【発明の開示】
【発明が解決しようとする課題】
【０００８】
上記従来の輪郭強調処理装置にあっては、可変遅延回路の遅延量を大きくして強調周波数を低くしていくと、強調したい帯域の他にその奇数倍の高調波成分も同時に強調されてしまうというという事情があった。また、ＳＤフォーマット並の低い解像度帯域を強調しようとした場合には、奇数倍の高調波成分も同時に強調されてしまい、映像を劣化させてしまうという事情があった。
【０００９】
本発明は、上記従来の事情に鑑みてなされたものであって、映像を劣化させる高調波成分の不要な強調を適切に抑えることのできる輪郭強調処理装置及び輪郭強調処理方法を提供することを目的とする。
【課題を解決するための手段】
【００１０】
本発明の輪郭強調処理装置は、入力映像信号から特定の周波数帯域の信号を抽出するフィルタと、前記フィルタの出力信号に可変の係数を乗じる乗算器と、前記フィルタの出力信号から高周波成分を抑圧する高域抑圧手段と、前記フィルタの抽出帯域中心周波数に比例して前記高域抑圧手段の遮断周波数が連動するように前記フィルタ及び前記高域抑圧手段を設定する制御手段とを備える。
【００１１】
この構成により、フィルタの抽出帯域中心周波数に比例して高域抑圧手段の遮断周波数を設定できるので、フィルタの出力信号に含まれる所望の帯域以外の不要な周波数成分を効果的に抑圧し映像を劣化させることなく所望の帯域のみを強調した映像信号を得ることができる。
【００１２】
本発明の輪郭強調処理装置は、入力映像信号を可変に遅延させる可変遅延回路と、前記可変遅延回路の出力信号を加算する加算器と、前記加算器が出力した高周波成分を抑圧する高域抑圧手段と、前記高域抑圧手段の遮断周波数を設定する制御手段とを備える。
【００１３】
この構成により、所望の帯域以外の不要な周波数成分を効果的に抑圧し映像を劣化させることなく所望の帯域のみを強調した映像信号を得ることができる。
【００１４】
本発明において、前記高域抑圧手段は、入力映像信号を入力し前記入力映像信号から特定の帯域成分を抑圧する第一の帯域抑圧手段と、前記第一の帯域抑圧手段の出力信号の高域成分を抑圧する第二の帯域抑圧手段と、前記第一の帯域抑圧手段の出力信号と前記第二の帯域抑圧手段の出力信号を切替えて出力するマルチプレクサとを含む。
【００１５】
この構成により、可変帯域抽出フィルタの抽出帯域と高域抑圧手段の遮断周波数とを連動させ、第一の帯域抑圧手段の出力信号と第二の帯域抑圧手段の出力信号を切替えることによって、高調波成分が抑圧された所望の周波数特性の出力映像信号を得ることができる。
【００１６】
本発明において、前記第一の帯域抑圧手段は、前記入力映像信号を遅延させる第一の信号遅延手段と、前記第一の信号遅延手段の出力信号をさらに遅延させる第二の信号遅延手段と、前記入力映像信号と前記第一の信号遅延手段の出力信号と前記第二の信号遅延手段の出力信号を合成する第一の信号合成手段とを含む。
【００１７】
この構成により、入力映像信号の遅延量を変え通過帯域を変えることによって、高調波成分が抑圧された所望の周波数特性の出力映像信号を得ることができる。
【００１８】
本発明において、前記第二の帯域抑圧手段は、前記第一の帯域抑圧手段の出力信号を1クロック分遅延する第三の信号遅延手段と、前記第三の信号遅延手段の出力をさらに1クロック分遅延する第四の信号遅延手段と、前記第一の帯域抑圧手段の出力信号と前記第三の信号遅延手段の出力信号と前記第四の信号遅延手段の出力信号を合成する第二の信号合成手段とを含む。
【００１９】
この構成により、入力映像信号の遅延量を変え通過帯域を変えることによって、高調波成分が抑圧された所望の周波数特性の出力映像信号を得ることができる。
【００２０】
本発明の輪郭強調処理方法は、入力映像信号の抽出周波数帯域を設定するステップと、乗算器の係数を設定するステップと、高域の遮断周波数を設定するステップと、高域の第一帯域抑圧信号と第二帯域抑圧信号を切替えて出力するステップとを備える。
【００２１】
この構成により、入力映像信号の抽出周波数帯域を設定することによって、高調波成分が抑圧された所望の周波数特性の出力映像信号を得ることができる。
【発明の効果】
【００２２】
本発明によれば、入力映像信号の抽出帯域設定と遮断周波数設定を適切に連動させることにより、不要な周波数成分が強調されることを防ぎ、所望の周波数帯域のみが適切に強調された映像信号を得ることができる。 
【発明を実施するための最良の形態】
【００２３】
図１は、本発明の第一の実施形態の輪郭強調処理装置の構成例を説明するブロック図である。図１において、図８と同じ構成要素については同じ符号を用い、説明を省略する。本発明の輪郭強調処理装置は、図８の従来の輪郭強調処理装置の抽出帯域設定部４を設けないで抽出帯域遮断周波数設定部１０２を設ける。さらに、本発明の輪郭強調処理装置は、可変低域通過フィルタ１０１を従来の輪郭強調処理装置に追加して設ける。図１において、可変低域通過フィルタ１０１は、帯域抽出手段である可変帯域抽出フィルタ３の出力信号から高周波成分を抑圧する高域抑圧手段であり、抽出帯域遮断周波数設定部１０２は、可変帯域抽出フィルタ３の抽出帯域と可変低域通過フィルタ１０１の遮断周波数とを設定する制御手段である。この制御手段は、可変帯域抽出フィルタ3の抽出帯域中心周波数に比例して高域抑圧手段である可変低域通過フィルタ１０１の遮断周波数が連動するように可変帯域抽出フィルタ３及び可変低域通過フィルタ１０１を設定する。可変帯域抽出フィルタ３で抽出された帯域の周波数は、可変低域通過フィルタ１０１に入力され、高周波成分が抑圧された遮断周波数の出力信号は、可変の係数５ａを乗じる乗算器５に入力される。可変帯域抽出フィルタ３の周波数特性は、従来の輪郭強調処理装置の可変帯域抽出フィルタ３と同様に、抽出帯域設定信号の値ｍを、例えば１、２、３、４、等に変化させることで、抽出帯域を変化させることができる。
【００２４】
図２は、本発明の第一の実施形態の輪郭強調処理装置の可変低域通過フィルタの構成例を示すブロック図である。可変低域通過フィルタ１０１は、入力映像信号２００を入力し入力映像信号２００から特定の帯域成分を抑圧する第一の帯域抑圧手段としての第一のフィルタ２０１と、第一のフィルタ２０１の出力信号の高域成分を抑圧する第二の帯域抑圧手段としての第二のフィルタ２０２と、第一のフィルタ２０１の出力信号と第二のフィルタ２０２の出力信号を切替えて出力するマルチプレクサＭＵＸ２０３とを備える。
【００２５】
第一のフィルタ２０１は、入力映像信号２００を遅延させる第一の信号遅延手段としての可変遅延回路２１０と、可変遅延回路２１０の出力信号をさらに遅延させる第二の信号遅延手段としての可変遅延回路２１１と、入力映像信号２００と可変遅延回路２１０の出力信号と可変遅延回路２１１の出力信号とを合成する第一の信号合成手段２０１ｍとを含む。第一の信号合成手段２０１ｍは、可変遅延回路２１１の出力信号と入力映像信号２００とを加算する加算器２１３と、加算器２１３の出力を１／２倍する演算器２１４と、可変遅延回路２１０の出力と演算器２１４の出力とを加算する加算器２１５と、加算器２１５の出力を１／２倍する演算器２１６とを含む。第一のフィルタ２０１の伝達関数は、
(１＋２ｚ−ｎ＋ｚ−２ｎ)／４ 
で表される。可変遅延回路２１０、２１１は、抽出帯域遮断周波数設定部１０２から出力される遮断周波数設定信号２１２によって、可変遅延回路２１０、２１１の遅延量が制御される。
【００２６】
第二のフィルタ２０２は、第一のフィルタ２０１の出力信号を1クロック分遅延する第三の信号遅延手段としての単位遅延回路２２０と、単位遅延回路２２０の出力をさらに1クロック分遅延する単位遅延回路２２１と、第一のフィルタ２０１の出力信号と単位遅延回路２２０の出力信号と単位遅延回路２２１の出力信号とを合成する第二の信号合成手段２０２ｍとを含む。第二の信号合成手段２０２ｍは、第一のフィルタ２０１の出力信号と単位遅延回路２２１の出力とを加算する加算器２２２と、加算器２２２の出力を１／２倍する演算器２２３と、単位遅延回路２２０の出力と演算器２２３の出力とを加算する加算器２２４と、加算器２２４の出力を１／２倍する演算器２２５とを含む。第二のフィルタ２０２の伝達関数は、
( 1 +２ｚ−１＋ｚ−２)／４ 
で表される。
【００２７】
以上のように構成された輪郭強調処理装置について、図３、図４、及び図１１を用いてその動作を説明する。図３は、（Ａ）可変遅延回路２１０、２１１の遅延量である遮断周波数設定信号２１２の値ｎが、ｎ＝０、１、２、３と変化させたときの第一のフィルタ２０１の周波数レスポンス特性、（Ｂ）第二のフィルタ２０２の周波数レスポンス特性、及び（Ｃ）第一のフィルタ２０１及び第二のフィルタ２０２の合成特性を示す。可変低域通過フィルタ１０１は、遮断周波数設定信号２１２の値ｎを０、１、２、３と変化させることにより、遮断周波数を変化させた出力映像信号を得ることができる。
【００２８】
次に、可変帯域抽出フィルタ３の抽出帯域と可変低域通過フィルタ１０１の遮断周波数とを連動して変化させた場合の、可変帯域抽出フィルタ３と可変低域通過フィルタ１０１との合成周波数レスポンス特性の例をそれぞれ示す。マルチプレクサ２０３は、第一のフィルタ２０１による高域の第一帯域抑圧信号と第二のフィルタ２０２による第二帯域抑圧信号を切替えて出力する。図４は、可変帯域抽出フィルタ及び可変低域通過フィルタの各設定値に対する各周波数レスポンス特性の（Ａ）第一の例、（Ｂ）第二の例、（Ｃ）第三の例、及び（Ｄ）第四の例を示す。図４（Ａ）の周波数レスポンス特性は、可変帯域抽出フィルタ３の抽出帯域設定値ｍ＝２とした場合の例を示す。このとき、可変帯域抽出フィルタ３の出力信号には不要な高調波成分は含まれないので、可変低域通過フィルタ１０１の遮断周波数設定値ｎ＝０とし、マルチプレクサ２０３を第一のフィルタ２０１の出力信号Ｌ１を選択するように設定して第二のフィルタ処理をＯＦＦにした場合の可変帯域抽出フィルタ３と可変低域通過フィルタ１０１との合成周波数レスポンス特性Ｌ２を示す。図４（Ｂ）の周波数レスポンス特性は、可変帯域抽出フィルタ３の抽出帯域設定値ｍ＝３とした場合で、可変低域通過フィルタ１０１の遮断周波数設定値ｎ＝０、マルチプレクサ２０３を第二のフィルタ２０２の出力信号Ｌ３を選択するように設定して第二のフィルタ処理をＯＮにした例を示す。図４（Ｂ）は、可変帯域抽出フィルタ３の出力信号Ｌ４に含まれる高調波成分を抑えた場合の可変帯域抽出フィルタ３と可変低域通過フィルタ１０１との合成周波数レスポンス特性Ｌ５を示す。図４（Ｃ）の周波数レスポンス特性は、可変帯域抽出フィルタ３の抽出帯域設定値ｍ＝４とした場合で、可変低域通過フィルタ１０１の遮断周波数設定値ｎ＝１、マルチプレクサ２０３を第二のフィルタ２０２の出力信号Ｌ６を選択するように設定して第二のフィルタ処理をＯＮにした例を示す。図４（Ｃ）は、可変帯域抽出フィルタ３の出力信号Ｌ７に含まれる高調波成分を抑えた場合の可変帯域抽出フィルタ３と可変低域通過フィルタ１０１との合成周波数レスポンス特性Ｌ８を示す。図４（Ｄ）の周波数レスポンス特性は、可変帯域抽出フィルタ３の抽出帯域設定値ｍ＝６とした場合で、可変低域通過フィルタ１０１の遮断周波数設定値ｎ＝２、マルチプレクサ２０３を第二のフィルタ２０２の出力信号Ｌ９を選択するように設定して第二のフィルタ処理をＯＮにした例を示す。図４（Ｄ）は、可変帯域抽出フィルタ３の出力信号Ｌ１０に含まれる高調波成分を抑えた場合の可変帯域抽出フィルタ３と可変低域通過フィルタ１０１との合成周波数レスポンス特性Ｌ１１を示す。このように、可変帯域抽出フィルタ３の抽出帯域と可変低域通過フィルタ１０１の遮断周波数とを連動させることによって、合成周波数レスポンス特性は高調波成分が抑圧される。従って、映像の精細感が増大した出力映像信号を得ることができる。
【００２９】
図５は、図４（Ｃ）の場合における第一の実施形態の輪郭強調処理装置の入力映像信号に対する出力映像信号の周波数レスポンス特性を示す。同図により、強調したい帯域である周波数ｆｓ／８付近が強調され、高調波成分である周波数３ｆｓ／８付近の帯域の不要な強調は抑えられていることが判る。 
【００３０】
以上のように、抽出帯域が可変の帯域抽出手段と、遮断周波数が可変の高域抑圧手段を設け、帯域抽出手段の特性に合わせて高域抑圧手段の特性を連動して変化させることにより、帯域抽出手段の出力信号に含まれる高調波成分を効果的に抑圧し、映像信号に対して不要な帯域を強調することを防ぐことができる。 
【００３１】
なお、以上の説明では、可変帯域抽出フィルタ３の後段に可変低域通過フィルタ１０１を、可変低域通過フィルタ１０１の後段に乗算器５を置く形で構成した例について説明したが、それらの順序は入れ替わってもよい。また、可変帯域抽出フィルタ３として、図９に示すフィルタを用いた例について説明したが、これに限らず同様の効果をもつ他の構成のフィルタを用いてもよい。また、可変低域通過フィルタ１０１として図２に示すフィルタ構成例を説明したが、これに限定せず同様の効果をもつ他の構成のフィルタを用いてもよい。 
【００３２】
図６は、本発明の第二の実施形態の輪郭強調処理装置の構成例を説明するためのブロック図である。図６において、図１、図８と同じ構成要素については同じ符号を用い、説明を省略する。 図６において、可変低域抽出フィルタ１０１は加算器６の出力から高周波成分を抑圧する高域抑圧手段であり、抽出帯域遮断周波数設定部１０２は可変帯域抽出フィルタ３の抽出帯域と可変低域通過フィルタ１０１の遮断周波数とを設定する制御手段である。可変低域通過フィルタ１０１の構成は、図２に示す構成と同一である。
【００３３】
以上のように構成された第二の実施形態の輪郭強調処理装置について、図７を用いてその動作を説明する。図７（Ａ）、（Ｂ）、及び（Ｃ）は、第二の実施形態の輪郭強調処理装置の動作を説明するための周波数レスポンス特性図である。第二の実施形態の輪郭強調処理装置の可変帯域抽出フィルタ３の特性は、すでに説明した可変帯域抽出フィルタ３と同一である。図７（Ａ）は、可変帯域抽出フィルタ３の抽出帯域設定値ｍ＝４とし、図６の乗算器５の係数５ａを１とした場合、入力映像信号１に対する加算器６の出力信号の周波数レスポンス特性を示す。所望の強調帯域である周波数ｆｓ／８付近のほかに、周波数３ｆｓ／８付近に高調波成分による強調が生じる。この状態のとき、可変低域通過フィルタ１０１の遮断周波数設定ｎ＝０とし、マルチプレクサ２０３を第一のフィルタ２０１の出力信号を選択するようにして第二のフィルタをＯＦＦにする。図７（Ｂ）は、可変低域通過フィルタ１０１の遮断周波数設定ｎ＝０とし、マルチプレクサ２０３を第一のフィルタ２０１の出力信号を選択するようにして第二のフィルタをＯＦＦに設定した場合の変低域通過フィルタ１０１の周波数レスポンス特性を示す。周波数が大きくなるに従って、周波数レスポンスが減少する特性を示す。図７（Ｃ）は、図６の入力映像信号１に対する出力映像信号７の周波数レスポンス特性を示す。図７（Ｃ）に示すように、周波数３ｆｓ／８付近の高調波による不要な強調が抑えられる。 
【００３４】
第二の実施形態の輪郭強調処理装置では、可変遅延回路２、可変帯域抽出フィルタ３、及び加算器６の後段に可変低域通過フィルタ１０１を設けた構成を説明したが、他の実施形態として、可変低域通過フィルタ１０１を可変遅延回路２、可変帯域抽出フィルタ３、及び加算器６の前段に設けた構成も同様な効果を有する。また、可変帯域抽出フィルタ３は、図９で示す構成のフィルタを用いた例について説明したが、同様の効果をもつ他の構成のフィルタを用いてもよい。また、可変低域通過フィルタ１０１は、図２で示すフィルタの構成例を説明したが、同様の効果を有する他の構成のフィルタを用いてもよい。 
【００３５】
以上説明したように、抽出帯域が可変の帯域抽出手段である可変帯域抽出フィルタ３と、遮断周波数が可変の高域抑圧手段である可変低域通過フィルタ１０１を設け、帯域抽出手段の特性に合わせて高域抑圧手段の特性を連動して変化させることにより、帯域抽出手段の出力信号に含まれる高調波成分を効果的に抑圧し、映像信号に対して不要な帯域を強調することを防ぐという利点がある。また、第一の実施形態と比較して第二の実施形態では出力映像信号の高解像度成分が抑えられるため、第一の実施形態の方が解像度は高いが、第二の実施形態の方がＳ／Ｎ比は良い。 
【産業上の利用可能性】
【００３６】
本発明の輪郭強調処理装置及び輪郭強調処理方法は、入力映像信号の抽出帯域設定と遮断周波数設定を適切に連動させることにより、不要な周波数成分が強調されることを防ぎ、所望の周波数帯域のみが適切に強調された映像信号を得ることができるという効果を有し、ビデオカメラ等の映像信号撮像装置で撮影した映像信号、テレビ受像器で受信した映像信号、等の映像の輪郭強調処理技術等として有用である。
【図面の簡単な説明】
【００３７】
【図１】本発明の第一の実施形態の輪郭強調処理装置の構成例を説明するブロック図
【図２】本発明の第一の実施形態の輪郭強調処理装置の可変低域通過フィルタの構成例を示すブロック図
【図３】（Ａ）は可変遅延回路２１０、２１１の遅延量である遮断周波数設定信号２１２の値ｎが、ｎ＝０、１、２、３と変化させたときの第一のフィルタ２０１の周波数レスポンス特性を示す図、（Ｂ）は第二のフィルタ２０２の周波数レスポンス特性、及び（Ｃ）第一のフィルタ２０１及び第二のフィルタ２０２の合成特性を示す図
【図４】可変帯域抽出フィルタ及び可変低域通過フィルタの各設定値に対する各周波数レスポンス特性の（Ａ）第一の例、（Ｂ）第二の例、（Ｃ）第三の例、及び（Ｄ）第四の例を示す図
【図５】図５は、図４（Ｃ）の場合における第一の実施形態の輪郭強調処理装置の入力映像信号に対する出力映像信号の周波数レスポンス特性を示す図
【図６】本発明の第二の実施形態の輪郭強調処理装置の構成例を説明するためのブロック図
【図７】（Ａ）、（Ｂ）、及び（Ｃ）は、第二の実施形態の輪郭強調処理装置の動作を説明するための周波数レスポンス特性図
【図８】従来の輪郭強調処理装置の構成を示すブロック図
【図９】従来の輪郭強調処理装置の可変帯域抽出フィルタの構成を示すブロック図
【図１０】従来の輪郭強調処理装置の可変遅延回路２、１１、１２の構成を示すブロック図
【図１１】従来の輪郭強調処理装置の帯域抽出フィルタ３の可変遅延回路１１、１２の遅延量ｍを１、２、３、４と変化させたときの周波数レスポンス特性を示す図
【符号の説明】
【００３８】
１０１  可変低域通過フィルタ 
１０２  抽出帯域遮断周波数設定部 
２０１  第一のフィルタ 
２０２  第二のフィルタ 
２０３  マルチプレクサ 
２１０、２１１  可変遅延回路
【図１】
2007049216.tif 000003
【図２】
2007049216.tif 000004
【図３】
2007049216.tif 000005
【図４】
2007049216.tif 000006
【図５】
2007049216.tif 000007
【図６】
2007049216.tif 000008
【図７】
2007049216.tif 000009
【図８】
2007049216.tif 000010
【図９】
2007049216.tif 000011
【図１０】
2007049216.tif 000012
【図１１】
2007049216.tif 000013